【手続補正書】
【提出日】平成22年6月16日(2010.6.16)
【手続補正１】
【補正対象書類名】特許請求の範囲
【補正対象項目名】全文
【補正方法】変更
【補正の内容】
【特許請求の範囲】
【請求項１】
予め設定された利用情報が入力されることによってインストールされる統合パッケージソフトウェア内の複数のアプリケーションの少なくとも１つと、既にインストールされているアプリケーションとが重複するか否かを判定する判定手段と、
前記判定手段による判定の結果に基づき、前記統合パッケージソフトウェア内の複数のアプリケーションの中で重複すると判定されたアプリケーションをユーザに利用させるための利用情報を出力する出力手段とを有することを特徴とする情報処理装置。
【請求項２】
前記判定手段によりアプリケーションが重複すると判定された場合に、前記統合パッケージソフトウェア内のアプリケーションの組み合わせを再構成する再構成手段を有することを特徴とする請求項１に記載の情報処理装置。
【請求項３】
前記再構成手段により再構成されたアプリケーションのライセンスファイルを出力する第２の出力手段を有することを特徴とする請求項２に記載の情報処理装置。
【請求項４】
前記判定手段による判定の結果に基づき、重複すると判定されたアプリケーションの属性情報を比較する比較手段を有し、
前記再構成手段は、前記比較手段による比較結果に基づいて、前記統合パッケージソフトウェア内のアプリケーションの組み合わせを再構成することを特徴とする請求項２又は３に記載の情報処理装置。
【請求項５】
前記属性情報は、アプリケーションのバージョン、統合パッケージソフトウェアの単価、及び統合パッケージソフトウェアに含まれるアプリケーションの個数のうち、少なくとも何れか１つを含むことを特徴とする請求項４に記載の情報処理装置。
【請求項６】
前記統合パッケージソフトウェアがインストールされる外部の情報処理装置から、当該統合パッケージソフトウェアのライセンスの発行要求を示すライセンス発行要求情報を受信する受信手段を有し、
前記判定手段は、前記ライセンス発行要求情報によりライセンスの発行が要求された統合パッケージソフトウェア内の複数のアプリケーションの少なくとも１つと、前記外部の情報処理装置に既にインストールされているアプリケーションとが重複するか否かを判定することを特徴とする請求項１〜５の何れか１項に記載の情報処理装置。
【請求項７】
前記受信手段は、前記外部の情報処理装置を識別する識別情報と、前記統合パッケージソフトウェアの証書に関する証書情報とを、前記ライセンス発行要求情報として受信し、
前記受信手段により受信された識別情報に基づいて、前記外部の情報処理装置に既にインストールされているアプリケーションを、データベースで管理されている情報の中から特定する第１の特定手段と、
前記受信手段により受信された証書情報に基づいて、前記統合パッケージソフトウェアに含まれるアプリケーションを、データベースで管理されている情報の中から特定する第２の特定手段とを有し、
前記判定手段は、前記第１の特定手段と前記第２の特定手段とにより特定された結果に基づいて、前記ライセンス発行要求情報によりライセンスの発行が要求された統合パッケージソフトウェア内の複数のアプリケーションの少なくとも１つと、前記外部の情報処理装置に既にインストールされているアプリケーションとが重複するか否かを判定することを特徴とする請求項６に記載の情報処理装置。
【請求項８】
前記利用情報は、アプリケーションまたは統合パッケージソフトウェアの証書に関する証書情報を含むことを特徴とする請求項１〜７の何れか１項に記載の情報処理装置。
【請求項９】
前記証書情報は、アプリケーションの有効期間及び機能の少なくとも何れか一方を制限した証書に関する情報であることを特徴とする請求項８に記載の情報処理装置。
【請求項１０】
前記判定手段による判定の結果に基づき、前記統合パッケージソフトウェア内の複数のアプリケーションの中で重複すると判定されたアプリケーションを利用できるようにするために、前記統合パッケージソフトウェア内のアプリケーションの利用を管理するデータベースの登録情報を変更する変更手段を有し、
前記出力手段は、前記変更手段により、前記データベースの登録情報が変更された後に、前記重複すると判定されたアプリケーションを利用することが可能であることを示す情報として、前記利用情報を出力することを特徴とする請求項１〜９の何れか１項に記載の情報処理装置。
【請求項１１】
予め設定された利用情報が入力されることによってインストールされる統合パッケージソフトウェア内の複数のアプリケーションの少なくとも１つと、既にインストールされているアプリケーションとが重複するか否かを判定する判定ステップと、
前記判定ステップでの判定の結果に基づき、前記統合パッケージソフトウェア内の複数のアプリケーションの中で重複すると判定されたアプリケーションをユーザに利用させるための利用情報を出力する出力ステップとを有することを特徴とするアプリケーション管理方法。
【請求項１２】
前記判定ステップでアプリケーションが重複すると判定された場合に、前記統合パッケージソフトウェア内のアプリケーションの組み合わせを再構成する再構成ステップを有することを特徴とする請求項１１に記載のアプリケーション管理方法。
【請求項１３】
前記再構成ステップで再構成されたアプリケーションのライセンスファイルを出力する第２の出力ステップを有することを特徴とする請求項１２に記載のアプリケーション管理方法。
【請求項１４】
前記判定ステップでの判定の結果に基づき、重複すると判定されたアプリケーションの属性情報を比較する比較ステップを有し、
前記再構成ステップでは、前記比較ステップでの比較結果に基づいて、前記統合パッケージソフトウェア内のアプリケーションの組み合わせを再構成することを特徴とする請求項１２又は１３に記載のアプリケーション管理方法。
【請求項１５】
前記属性情報は、アプリケーションのバージョン、統合パッケージソフトウェアの単価、及び統合パッケージソフトウェアに含まれるアプリケーションの個数のうち、少なくとも何れか１つを含むことを特徴とする請求項１４に記載のアプリケーション管理方法。
【請求項１６】
前記統合パッケージソフトウェアがインストールされるクライアント装置から、当該統合パッケージソフトウェアのライセンスの発行要求を示すライセンス発行要求情報を受信する受信ステップを有し、
前記判定ステップでは、前記ライセンス発行要求情報によりライセンスの発行が要求された統合パッケージソフトウェア内の複数のアプリケーションの少なくとも１つと、前記クライアント装置に既にインストールされているアプリケーションとが重複するか否かを判定することを特徴とする請求項１１〜１５の何れか１項に記載のアプリケーション管理方法。
【請求項１７】
アプリケーションのライセンス管理を行うサーバ装置と通信するクライアント装置であって、
アプリケーションのインストール及びアンインストールを制御するインストール制御手段と、
複数の異なるアプリケーションを含む統合パッケージソフトウェアのライセンスの発行要求を示すライセンス発行要求情報を、前記サーバ装置に送信する送信手段と、
前記ライセンス発行要求情報の応答として、前記サーバ装置からライセンスファイルを受信する受信手段とを有し、
前記インストール制御手段の制御により、
前記受信手段により受信されたライセンスファイルに従って、前記クライアント装置に既にインストールされているアプリケーションの中で、前記統合パッケージソフトウェア内の複数のアプリケーションの何れかと重複するアプリケーションをアンインストールさせ、当該アンインストール後に、前記統合パッケージソフトウェア内の複数のアプリケーションをインストールさせることを特徴とするクライアント装置。
【請求項１８】
アプリケーションのライセンス管理を行うサーバ装置と通信するクライアント装置であって、
複数の異なるアプリケーションを含む統合パッケージソフトウェアのライセンスの発行要求を示すライセンス発行要求情報を、前記サーバ装置に送信する送信手段と、
前記ライセンス発行要求情報の応答として、前記サーバ装置から前記統合パッケージソフトウェア内のアプリケーションを利用するための利用情報を受信する受信手段と、
前記統合パッケージソフトウェア内の複数のアプリケーションの中で、前記クライアント装置に既にインストールされているアプリケーションと重複しないアプリケーションのインストールを制御するインストール制御手段と、
前記受信手段により受信した利用情報に基づき、前記統合パッケージソフトウェア内の複数のアプリケーションの中で、前記クライアント装置に既にインストールされているアプリケーションと重複するアプリケーションを利用させるための情報を出力する出力手段とを有することを特徴とするクライアント装置。
【請求項１９】
請求項１７又は１８に記載のクライアント装置の各手段としてコンピュータを機能させることを特徴とするコンピュータプログラム。
【手続補正２】
【補正対象書類名】明細書
【補正対象項目名】００１２
【補正方法】変更
【補正の内容】
【００１２】
本発明の情報処理装置は、予め設定された利用情報が入力されることによってインストールされる統合パッケージソフトウェア内の複数のアプリケーションの少なくとも１つと、既にインストールされているアプリケーションとが重複するか否かを判定する判定手段と、前記判定手段による判定の結果に基づき、前記統合パッケージソフトウェア内の複数のアプリケーションの中で重複すると判定されたアプリケーションをユーザに利用させるための利用情報を出力する出力手段とを有することを特徴とする。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
本発明によれば、既にインストールしているアプリケーションと重複するアプリケーションを新たにインストールする際に、重複したアプリケーションを再利用することができる。